(57)【要約】      （修正有）【課題】立体的な商品陳列状態と、折り畳まれた折畳状態とに容易に転換可能で、商品陳列状態では消費者に陳列のインパクトを与えることが可能な折畳式商品陳列デバイスを提供する。【解決手段】商品陳列部Ｄを有し、第１蝶番６０Ａにより開閉可能に結合された第１の陳列枠体１０と第２の陳列枠体２０、第１の陳列枠体１０と第２の陳列枠体２０を一平面状に展開した状態で固定する陳列枠体ロック手段７０、第１の陳列枠体１０に固定された補助枠体３０に、第１の陳列枠体１０と第２の陳列枠体２０のいずれか一方に直接、第１蝶番６０Ａと平行な軸６３を有する第２蝶番６０Ｂで開閉可能に結合された支持脚枠体４０、及び第１の陳列枠体１０と支持脚枠体４０を開脚状態で固定する支持脚固定手段５０を備える。【選択図】図１
0003204820.tif 000002
【実用新案登録請求の範囲】
【請求項１】
商品陳列部を有する第１の陳列枠体、
第１の陳列枠体に第１蝶番により開閉可能に結合された商品陳列部を有する第２の陳列枠体、
第１の陳列枠体と第２の陳列枠体を一平面状に展開した状態で該第１、第２の陳列枠体を固定する陳列枠体ロック手段、
上記第１の陳列枠体に固定された補助枠体に、または第１の陳列枠体と第２の陳列枠体のいずれか一方に直接、第１蝶番と平行な軸を有する第２蝶番で開閉可能に結合された支持脚枠体、及び
上記第１の陳列枠体と支持脚枠体が鋭角をなす開脚状態で該第１の陳列枠体と支持脚枠体を固定する支持脚固定手段、を備え、
上記第１の陳列枠体、第２の陳列枠体及び支持脚枠体は、上記陳列枠体ロック手段及び支持脚固定手段による固定が解除された状態で互いに重畳可能であること、
を特徴とする折畳式商品陳列デバイス。
【請求項２】
請求項１記載の折畳式商品陳列デバイスにおいて、上記補助枠体は、その上縁部が該第１の陳列枠体より上方に位置するように上記第１の陳列枠体に固定されており、該補助枠体の上縁に上記第２蝶番で上記支持脚枠体が結合されている折畳式商品陳列デバイス。
【請求項３】
請求項１または２記載の折畳式商品陳列デバイスにおいて、上記第１、第２の陳列枠体の商品陳列部には、陳列物の保持部が備えられている折畳式商品陳列デバイス。
【請求項４】
請求項１ないし３のいずれか１項記載の折畳式商品陳列デバイスにおいて、上記第１、第２の陳列枠体の少なくとも一方に、看板が起倒可能に支持されている折畳式商品陳列デバイス。
【請求項５】
請求項１ないし４のいずれか１項記載の折畳式商品陳列デバイスにおいて、上記商品陳列部に支持される陳列物は、タイヤホイールである折畳式商品陳列デバイス。
【考案の詳細な説明】
【技術分野】
【０００１】
本考案は、商品、例えばタイヤホイールやタイヤを陳列するのに好適な折畳式商品陳列デバイスに関する。
【背景技術】
【０００２】
特許文献１は、単一のタイヤを展示する商品陳列デバイスを提案している。また特許文献２は、タイヤとホイールを混合展示する商品陳列デバイスを提案している。
【先行技術文献】
【特許文献】
【０００３】
【特許文献１】特開２００５-６７２５１号公報
【特許文献２】特開２０００-４１８０４号公報
【考案の概要】
【考案が解決しようとする課題】
【０００４】
しかし、特許文献１の商品陳列デバイスは、タイヤに特化したデバイスであり、他の商品陳列には不向きである。また、特許文献２の商品陳列デバイスは、単に複数の棚を設けた本棚状の陳列デバイスであり、消費者に陳列のインパクトを与えることは難しかった。またいずれも、運搬時には小さく折り畳み、使用時には十分な陳列インパクトを与えるという着眼が存在しない。
【０００５】
従って本考案は、立体的な商品陳列状態と、折り畳まれた折畳状態とに容易に転換可能で、商品陳列状態では消費者に陳列のインパクトを与えることが可能な折畳式商品陳列デバイスを得ることを目的とする。
【課題を解決するための手段】
【０００６】
本考案は、商品陳列部を有する第１の陳列枠体、第１の陳列枠体に第１蝶番により開閉可能に結合された商品陳列部を有する第２の陳列枠体、第１の陳列枠体と第２の陳列枠体を一平面状に展開した状態で該第１、第２の陳列枠体を固定する陳列枠体ロック手段、上記第１の陳列枠体に固定された補助枠体に、または第１の陳列枠体と第２の陳列枠体のいずれか一方に直接、第１蝶番と平行な軸を有する第２蝶番で開閉可能に結合された支持脚枠体、及び上記第１の陳列枠体と支持脚枠体が鋭角をなす開脚状態で該第１の陳列枠体と支持脚枠体を固定する支持脚固定手段、を備え、上記第１の陳列枠体、第２の陳列枠体及び支持脚枠体は、上記陳列枠体ロック手段及び支持脚固定手段による固定が解除された状態で互いに重畳可能であること、を特徴とする。
【０００７】
好ましい実施形態では、上記補助枠体は、その上縁部が該第１の陳列枠体より上方に位置するように上記第１の陳列枠体に固定されており、該補助枠体の上縁に上記第２蝶番で上記支持脚枠体が結合されている。
【０００８】
上記第１、第２の陳列枠体の商品陳列部には、陳列物の保持部が備えられるのが実際的である。
【０００９】
上記第１、第２の陳列枠体の少なくとも一方に、看板が起倒可能に支持することが好ましい。
【００１０】
上記商品陳列部に支持される陳列物、商品は、例えばタイヤホイールである。
【考案の効果】
【００１１】
本考案の折畳式商品陳列デバイスによれば、立体的な商品陳列状態と、折り畳まれた折畳状態とに容易に転換可能なので収納、移動及び商品陳列状態への転換が容易であり、商品陳列状態では消費者に陳列のインパクトを与えることが可能な折畳式商品陳列デバイスを得ることができる。
【図面の簡単な説明】
【００１２】
【図１】本考案による折畳式商品陳列デバイスの一実施形態を示す陳列状態の斜視図である。
【図２】陳列状態の図１とは反対方向から見た斜視図である。
【図３】陳列状態で下方陳列枠体（第１の陳列枠体）と上方陳列枠体（第２の陳列枠体）を鉛直に向けて描いた正面図である。
【図４】陳列状態の側面図である。
【図５】折畳状態の図１と同じ方向から見た斜視図である。
【図６】折畳状態の側面図である。
【考案を実施するための形態】
【００１３】
図は、本考案をタイヤホイール（以下「ホイール」という）Ｗの折畳式商品陳列デバイス１００に適用した実施形態であり、図１ないし図４は、折畳式商品陳列デバイス１００の陳列状態、図５と図６は折畳状態を示している。本折畳式商品陳列デバイス１００は、下方陳列枠体（第１の陳列枠体）１０、上方陳列枠体（第２の陳列枠体）２０、補助枠体３０、支持脚枠体４０及び開脚維持枠（支持脚固定手段）５０を備えている。下方陳列枠体１０、上方陳列枠体２０、支持脚枠体４０はいずれも矩形の枠体からなり、陳列状態で長辺が（斜め）上下方向を向き、短辺が左右方向を向く。開脚維持枠５０は、下方陳列枠体１０と支持脚枠体４０を開脚状態で固定するもので、陳列状態で水平になる矩形の枠体からなっている。以下の説明における上下は、図１、図２の陳列状態での上下を言う。
【００１４】
より詳細には、下方陳列枠体１０は、左右の縦枠１１と１２、縦枠１１と１２の下端部を接続しさらに左右に突出する下左右突出枠１３、縦枠１１と１２の上端部を接続する上左右枠１４、縦枠１１と１２の上下方向中間部を接続する中間左右枠１５及び中間左右枠１５の下方に位置するロック棒１６を有している。下左右突出枠１３の下面にはその両端部に、高さアジャスタ１３ａが備えられている。
【００１５】
上方陳列枠体２０は、左右の縦枠２１と２２、縦枠２１と２２の下端部を接続する下左右枠２３、縦枠２１と２２の上端部を接続する上左右枠２４、及び縦枠２１と２２の上下方向中間部を接続する中間左右枠２５を有している。
【００１６】
補助枠体３０は、左右の縦枠３１と３２、及び縦枠３１と３２の上端部を接続する左右枠３３を有するコ字状をなしており、縦枠３１と３２の下部（下半分）は、固定部ｘにより下方陳列枠体１０の縦枠１１と１２に固定され、左右枠３３は、上左右枠１４の上方に位置している。
【００１７】
支持脚枠体４０は、左右の縦枠４１と４２、縦枠４１と４２の下端部を接続しさらに左右に突出する下左右突出枠４３、縦枠４１と４２の上端部を接続する上左右枠４４、縦枠４１と４２の上下方向中間部を接続する中間枠４５を有している。下左右突出枠４３の下面にはその左右両端部に、高さアジャスタ４３ａが備えられている。
【００１８】
以上の下方陳列枠体１０と上方陳列枠体２０は、上左右枠１４と下左右枠２３にそれぞれ蝶番片６１と６２を固定した一対の蝶番６０Ａによって開閉可能にヒンジ結合され、補助枠体３０と支持脚枠体４０は、左右枠３３と上左右枠４４にそれぞれ蝶番片６１と６２を固定した一対の蝶番６０Ｂによって開閉可能に接続（ヒンジ結合）されている。蝶番６０Ａと蝶番６０Ｂは、一対の蝶番片６１と６２を軸６３で開閉可能としたものであり、蝶番片６１と６２の開閉に一定の抵抗が与えられたトルクヒンジ、フリーストップヒンジなどの周知のものである。蝶番６０Ａと蝶番６０Ｂは、それらの軸６３が平行になるように下方陳列枠体１０と上方陳列枠体２０、補助枠体３０と支持脚枠体４０をそれぞれヒンジ結合している。下方陳列枠体１０と上方陳列枠体２０の間の蝶番６０Ａは、その軸６３が補助枠体３０とは離間した側に存在し、補助枠体３０と支持脚枠体４０の間の蝶番６０Ｂは、その軸６３が下方陳列枠体１０（上方陳列枠体２０）とは離間した側に存在する。
【００１９】
以上のように、蝶番６０Ａと蝶番６０Ｂの軸６３の位置を定めることにより、平板状の上方陳列枠体２０、下方陳列枠体１０、補助枠体３０、支持脚枠体４０を図５、図６のように重ねて折り畳む（収納する）ことができる。また、図１ないし図４に示すように、下方陳列枠体１０と上方陳列枠体２０は、一平面状に展開して蝶番６０Ａの軸６３側の面を商品陳列部（展示面）Ｄとすることができ、このとき、上方陳列枠体２０は、縦枠２１、２２の背面下部が補助枠体３０の縦枠３１、３２の前面に当接して支持される。
【００２０】
下方陳列枠体１０(補助枠体３０)と上方陳列枠体２０の間には、下方陳列枠体１０と上方陳列枠体２０を一平面状に展開した状態で閉じ方向に回転しない（折り畳まれない）ように固定（ロック）するロック機構７０が設けられている。このロック機構７０は、補助枠体３０の縦枠３１と３２の左右方向外側面に軸７１ａで揺動自在に軸支された板状の止め金具７１と、上方陳列枠体２０の左右方向外側面に突設された受けピン７３とを有し、下方陳列枠体１０と上方陳列枠体２０が一平面状に展開したとき、止め金具７１の自由端部に形成された係合溝７２を受けピン７３に係脱して、ロック、アンロックする周知の簡易なロック機構である。このロック機構７０によれば、簡単な構成により、展開した下方陳列枠体１０と上方陳列枠体２０を閉じないように簡単確実にロックし、アンロック操作することができる。
【００２１】
また、開脚維持枠５０は、支持脚枠体４０が下方陳列枠体１０に対して特定の鋭角（例えば３０゜〜４５゜）で開いた開脚状態で、下方陳列枠体１０と支持脚枠体４０を固定（維持、規制）するものである。平面矩形をなす開脚維持枠５０は、左右一対の連結枠５１と５２、連結枠５１、５２の一端部に接続された基端枠５３と、他端部に接続された、基端枠５３と平行をなす係合枠５４とを有している。開脚維持枠５０の基端枠５３は、一対の蝶番６０Ｃにより、支持脚枠体４０の中間枠４５に枢着（ヒンジ結合）されており、係合枠５４は、下方陳列枠体１０のロック棒１６と係脱する断面コ字状のロック枠からなっている。開脚維持枠５０は、折畳状態では、支持脚枠体４０の上左右枠４４、中間枠４５、縦枠４１及び４２で形成される空間内に位置し（図５、図６）、展示状態では、下方陳列枠体１０のロック棒１６に係合枠５４を係合させて、下方陳列枠体１０と支持脚枠体４０の開き角を規制（固定維持）する（図１、図２、図４）。開脚維持枠５０とロック棒１６は、下方陳列枠体１０と支持脚枠体４０が鋭角をなす開脚状態で該下方陳列枠体１０と支持脚枠体４０を固定する支持脚固定手段を形成している。
【００２２】
下方陳列枠体１０と上方陳列枠体２０には、その商品陳列部Ｄに３個のホイールＷを展示するための３組の保持具８０が備えられている。各保持具８０は、下方の左右一対の固定保持具８１と上方の一つの可動保持具８２を備えている。下方の２つの保持具８０の固定保持具８１は、下方陳列枠体１０の縦枠１１と１２に固定され、上方の１つの保持具８０の固定保持具８１は上方陳列枠体２０の縦枠２１と２２に固定されている。また、各可動保持具８２は上下方向に可動であり、最下方の保持具８０の可動保持具８２は下方陳列枠体１０の中間左右枠１５に支持され、中間の保持具８０の可動保持具８２は上方陳列枠体２０の中間左右枠２５に支持され、最上方の保持具８０の可動保持具８２は上方陳列枠体２０の上左右枠２４に支持されていて、それぞれ固定ねじ８３で固定することができる。ホイールＷは、各保持具８０の左右の固定保持具８１に下方を支持した後、上方にある可動保持具８２を下げてホイールＷの中央上部に引っかけ、固定ねじ８３で固定する。図３は、３個の保持具８０それぞれに、径の異なる三種類のホイールＷを保持した場合の様子を破線で示している。以上の折畳式商品陳列デバイス１００によれば、立体的な商品陳列状態と、折り畳まれた折畳状態とに容易に転換可能なので収納、移動及び商品陳列状態への転換が容易であり、商品陳列状態では消費者に陳列のインパクトを与えることが可能な折畳式商品陳列デバイス１００を得ることができる。
【００２３】
上方陳列枠体２０の上左右枠２４には、開閉に一定の抵抗が与えられたトルクヒンジ（フリーストップヒンジ）からなる蝶番６０Ｄを介して看板９０が起倒可能に支持されている。この看板９０は、左右方向に延びた平板状の主表示部９１と、主表示部９１の下縁部の左右方向中心から一方に偏った位置から下方に延びた平板状の支持腕部９３とを有している。看板９０は、支持腕部９３の先端部が、蝶番６０Ｄを介して上左右枠２４にヒンジ結合されていて、蝶番６０Ｄにより、展示状態では、主表示部９１が上左右枠２４の上方に位置する鉛直方向に起上（回動）させることが可能であり（図１乃至図４）、収納状態（折り畳状態）では全体が上方陳列枠体２０等と重なる位置まで倒す（回動させる）ことが可能である（図５、図６）。
【００２４】
以上の実施形態では、下方陳列枠体１０及び上方陳列枠体２０とは別に、補助枠体３０を設け、この補助枠体３０に支持脚枠体４０を蝶番６０Ｂでヒンジ結合している。このため、補助枠体３０によって展開状態の上方陳列枠体２０の背面を支持することができ、ホイールＷのような比較的重量のある展示物を展示するのに有利である。しかし、展示物が軽量物である場合には、補助枠体３０を介在させることなく、下方陳列枠体１０または上方陳列枠体２０に直接支持脚枠体４０を蝶番でヒンジ結合することもできる。
【００２５】
以上の実施形態では、保持具８０をホイールＷの陳列用として３セット設けた。しかし保持具８０の数は任意であり、２セット、４セット以上設けられるように下方陳列枠体１０、上方陳列枠体２０、補助枠体３０、支持脚枠体４０を形成してもよい。また、保持具８０の態様は、ホイールＷ用の一例であり、陳列物（商品）の形態に応じてその態様も変化させることができる。
【００２６】
また、以上の実施形態では、下方陳列枠体１０及び上方陳列枠体２０をともに正面（平面）矩形としたが、正面形状には自由度がある。正面台形、多角形状等の形状を採用することも可能である。
【符号の説明】
【００２７】
１０  下方陳列枠体（第１の陳列枠体）
１１  １２  縦枠
１３  下左右突出枠
１３ａ  ４３ａ  高さアジャスタ
１４  上左右枠
１５  中間左右枠
１６  ロック棒(支持脚固定手段)
２０  上方陳列枠体（第２の陳列枠体）
２１  ２２  縦枠
２３  下左右枠
２４  上左右枠
３０  補助枠体
３１  ３２  縦枠
３３  左右枠
４０  支持脚枠体
４１  ４２  縦枠
４３  下左右突出枠
４４  上左右枠
４５  中間枠
５０  開脚維持枠（支持脚固定手段）
５１  ５２  連結枠
５３  基端枠
５４  係合枠
６０Ａ  蝶番（第１蝶番）
６０Ｂ  蝶番（第２蝶番）
６０Ｃ  ６０Ｄ  蝶番
６１  ６２  蝶番片
６３  軸
７０  ロック機構（陳列枠体ロック手段）
７１  止め金具
７２  係合溝
７３  受けピン
８０  保持具（保持部）
８１  固定保持具
８２  可動保持具
８３  固定ねじ
９０  看板
９１  主表示部
９２  支持腕部
１００  折畳式商品陳列デバイス
Ｄ  商品陳列部（展示面）
Ｗ  ホイール(商品、陳列物)
【図１】
0003204820.tif 000003
【図２】
0003204820.tif 000004
【図３】
0003204820.tif 000005
【図４】
0003204820.tif 000006
【図５】
0003204820.tif 000007
【図６】
0003204820.tif 000008